【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
電動式飲料冷却アプライアンスであって、
コンプレッサ、コンデンサ、および蒸発器を備える電動式冷却アセンブリであって、相変化冷媒を圧縮および循環させ、前記蒸発器に局所化された選択的冷却を提供する電動式冷却アセンブリ
を備え、
前記蒸発器は、導管、接触プレート、または容器内の高温飲料部分を冷却するように、前記飲料部分との熱交換接触のために成形および構成され、
前記電動式冷却アセンブリは、約２分を下回る給仕サイクル時間以内に、希釈または凍結を伴わずに、１杯のホットコーヒーを冷温状態に急速に冷却するように定寸および構成される、アプライアンス。
【請求項２】
高温飲料または急冷された飲料を前記アプライアンスの出力に選択的に提供するための制御部を有する、コーヒー淹出器と嵌合および統合される、請求項１に記載のアプライアンス。
【請求項３】
前記蒸発器は、前記ホットコーヒーを受容する受容容器内に常駐するように構成され、前記制御部は、高温飲料が選択されると、前記蒸発器に接触せずに、ホットコーヒーに前記容器を通過させる、請求項２に記載のアプライアンス。
【請求項４】
流体を前記受容容器内で混合し、前記コーヒーの熱伝達冷却を向上させるための混合器をさらに備え、随意に、前記混合器は、撹拌器、気泡放出器、可動ベーン、およびフロー混合器デバイスのうちの１つまたは複数のものを含み、前記蒸発器のアイシングを伴わずに、前記コーヒーを促し、均一に冷却する、請求項２に記載のアプライアンス。
【請求項５】
ホットコーヒーをコーヒー淹出器アプライアンスから受容し、前記ホットコーヒーをアイスコーヒーに急冷するために、前記容器を位置付けるように移動可能である、請求項１に記載のアプライアンス。
【請求項６】
前記蒸発器は、前記容器が、前記蒸発器を囲繞しているバッチ体積のホットコーヒーを受容し、前記コーヒーが、氷で塞がれずに、前記容器内で冷温に冷却されるように、定寸および離間される、請求項４に記載のアプライアンス。
【請求項７】
前記コンプレッサと、１つまたは複数の加熱器、ポンプ、またはフローバルブとを選択的に起動させ、時間および／または電力使用量に関して効率的に、１人分のサイズバッチのコーヒーを選択的に高温コーヒーまたは低温コーヒーとして淹出および生成するように動作する、コントローラを備える、請求項１に記載のアプライアンス。
【請求項８】
前記コンプレッサは、約５００Ｗを下回る電力を消費し、約２分未満の熱サイクル時間を伴って、単一バッチの６〜１２オンスのホットコーヒーを急冷するために効果的である、請求項２に記載のアプライアンス。
【請求項９】
前記コンプレッサは、約５００Ｗを下回る電力を消費し、１回または複数回の冷却サイクルにおいて、２０〜３０オンスのバッチのホットコーヒーを急冷するように自動化される、請求項２に記載のアプライアンス。
【請求項１０】
熱を前記コンデンサから除去するための強制空気ドライバをさらに備える、請求項２に記載のアプライアンス。
【請求項１１】
請求項２に記載の電動式飲料冷却アプライアンスおよびコーヒー淹出器を備える家庭用コーヒーマシンであって、前記コーヒー淹出器は、ユーザ作動式単一ユニット型コーヒー淹出器であり、前記電動式飲料冷却アプライアンスの前記コンプレッサは、電動式冷媒コンプレッサであり、前記電動式飲料冷却アプライアンスは、前記淹出されたコーヒーのオンデマンドのフラッシュ冷却を選択的に提供し、希釈を伴わずに、１回分のアイスコーヒーを出力として生成するように定寸され、動作する、家庭用コーヒーマシン。
【手続補正２】
【補正対象書類名】明細書
【補正対象項目名】００１１
【補正方法】変更
【補正の内容】
【００１１】
現在好ましい実施形態は、ホットコーヒーを淹出する、淹出器部分と、ホットコーヒーが急冷されるように選択的に輸送され得る、急冷器部分と、ホットコーヒーを直接出力ポートに通過させるか、または出力に通過させる前に、ホットコーヒーを急冷器部分の中に選択的に迂回させるかのいずれかである、フローセレクタまたはバルブとを有する、１杯用淹出器−急冷器デバイスである。
本発明は、例えば、以下を提供する。
（項目１）
電動式飲料冷却アプライアンスであって、
相変化冷媒を圧縮および循環させ、蒸発器に局所化された選択的冷却を提供するために、コンプレッサ、コンデンサ、および蒸発器を備える、電動式冷却アセンブリ
を備え、
前記蒸発器は、飲料部分を冷却するように、導管、接触プレート、または容器内の高温飲料部分との熱交換接触のために成形および構成され、
前記電動式冷却アセンブリは、約２分以下の給仕サイクル時間以内に、希釈または凍結を伴わずに、１杯のホットコーヒーを冷温状態に急速に冷却するように定寸および構成される、アプライアンス。
（項目２）
高温飲料または急冷された飲料を前記アプライアンスの出力に選択的に提供するための制御部を有する、コーヒー淹出器と嵌合および統合される、項目１に記載のアプライアンス。
（項目３）
前記蒸発器は、前記ホットコーヒーを受容する受容容器内に常駐するように構成され、前記制御部は、高温飲料が選択されると、前記蒸発器に接触せずに、ホットコーヒーを前記容器に通過させる、項目２に記載のアプライアンス。
（項目４）
流体を前記受容容器内で混合し、前記コーヒーの熱伝達冷却を向上させるための混合器をさらに備え、随意に、前記混合器は、撹拌器、気泡放出器、可動ベーン、およびフロー混合器デバイスのうちの１つまたはそれを上回るものを含み、前記蒸発器のアイシングを伴わずに、前記コーヒーの冷却を促し、均一に冷却する、項目２に記載のアプライアンス。
（項目５）
ホットコーヒーをコーヒー淹出器アプライアンスから受容し、前記ホットコーヒーをアイスコーヒーに急冷するために、前記容器を位置付けるように移動可能である、項目１に記載のアプライアンス。
（項目６）
前記蒸発器は、前記容器が、前記蒸発器を囲繞しているバッチ体積のホットコーヒーを受容し、前記コーヒーが、氷で塞がれずに、前記容器内で冷温に冷却されるように、定寸および離間される、項目４に記載のアプライアンス。
（項目７）
前記コンプレッサと、１つまたはそれを上回る加熱器、ポンプ、またはフローバルブを選択的に起動させ、時間および／または電力使用量に関して効率的に、１人分のサイズバッチのコーヒーを選択的に高温コーヒーまたは低温コーヒーとして淹出および生成するように動作する、コントローラを備える、項目１に記載のアプライアンス。
（項目８）
前記コンプレッサは、約５００Ｗ以下の電力を消費し、約２分未満の熱サイクル時間を伴って、単一バッチとしての６〜１２オンスのホットコーヒーを急冷するために効果的である、項目２に記載の電動式飲料冷却器。
（項目９）
前記コンプレッサは、約５００Ｗ以下の電力を消費し、１回またはそれを上回る冷却サイクルにおいて、２０〜３０オンスのバッチのホットコーヒーを急冷するように自動化される、項目２に記載の電動式飲料冷却器。
（項目１０）
熱を前記コンデンサから除去するための強制空気ドライバをさらに備える、項目２に記載の電動式飲料冷却器。
（項目１１）
電動式冷媒コンプレッサとともに定寸および構成され、前記淹出されたコーヒーのオンデマンドのフラッシュ冷却を選択的に提供し、希釈を伴わずに、１回分のアイスコーヒーを出力として生成するように動作する、コーヒー冷却器段階と統合される、ユーザ作動式単一ユニット型コーヒー淹出器を備える、家庭用コーヒーマシン。
（項目１２）
前記コーヒー冷却器は、前記高温の淹出されたコーヒーを冷却するために、約２分以下の冷却サイクル時間を伴って動作する、項目１１に記載の家庭用コーヒーマシン。
（項目１３）
前記冷却器段階は、冷媒コンプレッサ、コンデンサ、および蒸発器を含み、前記蒸発器は、コーヒー受容容器またはチャンバ内のホットコーヒーとの熱接触のために位置付けられる、項目１２に記載の家庭用コーヒーマシン。
（項目１４）
カップまたはガラスポッドサイズバッチのホットコーヒーを冷却するためのアプライアンスであって、前記アプライアンスは、受容容器内に位置付けられる蒸発器を冷却するために接続されるオンデマンド冷媒コンプレッサを備え、前記構成要素は、数分以下の時間内に、バッチのホットコーヒーを約２〜５℃（３５〜４０°Ｆ）の温度に急速かつ効果的に急冷するように定寸および構成される、アプライアンス。
（項目１５）
剛性または可撓性の冷却剤ラインを介して、カウンタ下冷蔵ユニットに接続され、その内容物を急冷するための可撤性容器を受容する別個のカウンタトップ冷却ヘッドとして構成されるか、または、淹出されたコーヒーを急冷するために、１杯用コーヒー淹出器内に統合され、淹れたての風味を伴う希釈されない１回分のアイスコーヒーを生成するように動作可能である、項目１４に記載のアプライアンス。
（項目１６）
ユーザ作動式高温／低温セレクタと、冷却サイクルの開始および終了のために、前記コンプレッサを効率的に制御するための制御部とをさらに備える、淹出器と統合され、随意に、前記アプライアンスは、ユーザが引き渡したバッチのホットコーヒーを受容し、連続して前記ホットコーヒーのカップを遅延なく冷却し得る、項目１５に記載のアプライアンス。
（項目１７）
１回分のホットコーヒーをオンデマンドで冷温に冷却するための電動式アプライアンスであって、前記アプライアンスは、電動式冷蔵ユニットと、コーヒー受容容器とを備え、前記冷蔵ユニットおよび容器は、効率的に定寸および構成され、約２分以下の給仕サイクル時間以内に、希釈または凍結を伴わずに、１杯のホットコーヒーを冷温状態に急速に冷却するように構成される、アプライアンス。
（項目１８）
１杯用コーヒー淹出器またはドリップ式コーヒー淹出器内のバルブおよびコントローラと統合され、即時供給のために、ホットコーヒーが淹出されるとそれを急冷し、随意に、バッチまたはガラスポッドを連続的に急冷されたアイスコーヒーの供給量として急冷する、項目１７に記載のアプライアンス。
（項目１９）
コーヒーまたは他の高温飲料を作るためのアプライアンスであって、
筐体と、
高温飲料を淹出する、前記筐体内の淹出部分と、
前記高温飲料との熱交換接触のために位置付けられる冷却要素を冷却し、前記飲料を冷却するように構成される、前記筐体内の電動式冷却アセンブリと、
を備え、
前記電動式冷却アセンブリは、約２分以下の給仕サイクル時間以内に、希釈または凍結を伴わずに、１杯の前記高温飲料を冷温状態に急冷するように定寸および構成される、アプライアンス。
（項目２０）
前記電動式冷却アセンブリは、相変化冷媒を圧縮および循環させ、前記蒸発器に局所化された選択的冷却を提供するために、コンプレッサ、コンデンサおよび蒸発器を含み、前記蒸発器は、流路または受容容器内において、淹れたてのホットコーヒーを受容およびフラッシュ冷却するように構成される、項目１９に記載のアプライアンス。
（項目２１）
前記蒸発器は、受容容器内に位置付けられ、前記コーヒーの熱伝達冷却を向上させるために、前記受容容器内に混合器をさらに備え、随意に、前記混合器は、撹拌器、前記蒸発器内の中心またはその周辺に配置される機械的フィンまたはベーンのアレイ、気泡放出器、およびフローデバイスのうちの１つまたはそれを上回るものを含む、項目２０に記載のアプライアンス。
（項目２２）
前記蒸発器は、前記受容容器内に位置付けられる熱交換コイルを含み、前記受容容器は、前記筐体に可撤性に嵌合され、前記蒸発器を緊密に囲繞する飲料急冷チャンバを構成する、項目２１に記載のアプライアンス。
（項目２３）
相変化冷媒を含む冷蔵ユニットと、前記冷媒を圧縮するためのコンプレッサと、周囲空気への熱の伝達のためのコンデンサと、高温飲料の熱交換冷却のための蒸発器とを備える給仕カウンタ式アプライアンスであって、前記蒸発器は、給仕カウンタの上方に位置付けられ、前記圧縮された冷媒が蒸発し、前記飲料を急冷するように、容器の中に延在するように構成され、前記容器は、前記蒸発器を中心として可撤性に嵌合され、カウンタトップ飲料急冷アプライアンスを構成する、アプライアンス。